(57)【要約】  本発明は、基地局、アクセス要求の応答方法、装置及びシステムを提供する。そのうち、該方法は、目標アプリケーションサーバの識別情報が含まれ、目標アプリケーションサーバへのアクセスを要求するためのアクセス要求を取得することと、目標アプリケーションサーバの識別情報に基づいて、ローカルに目標アプリケーションサーバのアプリケーションプロキシが設定されたか否かを判断することと、ローカルに目標アプリケーションサーバのアプリケーションプロキシが設定されたと判断された場合、目標アプリケーションサーバのアプリケーションプロキシによってアクセス要求に応答することと、を含む。本発明によると、既存技術において基地局のベアリング能力が弱い問題を解決し、基地局のベアリング能力を向上させる技術効果を実現できる。
2019520762.tif 000002
【特許請求の範囲】
【請求項１】
目標アプリケーションサーバの識別情報が含まれ、前記目標アプリケーションサーバへのアクセスを要求するためのアクセス要求を取得することと、
前記目標アプリケーションサーバの識別情報に基づいて、ローカルに前記目標アプリケーションサーバのアプリケーションプロキシが設定されたか否かを判断することと、
ローカルに前記目標アプリケーションサーバのアプリケーションプロキシが設定されたと判断された場合、前記目標アプリケーションサーバのアプリケーションプロキシによって前記アクセス要求に応答することと、を含むアクセス要求の応答方法。
【請求項２】
前記目標アプリケーションサーバの識別情報に基づいて、ローカルに前記目標アプリケーションサーバのアプリケーションプロキシが設定されたか否かを判断することは、
アプリケーションサーバのデータ転送及びローカルのキャッシュデータを用いた前記アクセス要求への応答を行うためのアプリケーションプロキシがローカルに設定された複数のアプリケーションサーバの識別情報を保存するためのアプリケーション情報リストを取得することと、
前記アプリケーション情報リストに前記目標アプリケーションサーバの識別情報に一致する識別情報があるか否かを判断し、前記アプリケーション情報リストに前記目標アプリケーションサーバの識別情報に一致する識別情報がある場合、ローカルに前記目標アプリケーションサーバのアプリケーションプロキシがあると判断することと、を含む請求項１に記載の方法。
【請求項３】
前記目標アプリケーションサーバの識別情報は、前記目標アプリケーションサーバのドメイン名、ＩＰアドレス、ポート番号及びプロトコル種類の中の少なくとも一つを含み、前記複数のアプリケーションサーバの識別情報は、前記複数のアプリケーションサーバのドメイン名、ＩＰアドレス、ポート番号及びプロトコル種類の中の少なくとも一つを含む請求項１又は２に記載の方法。
【請求項４】
前記目標アプリケーションサーバのアプリケーションプロキシによって前記アクセス要求に応答することは、
前記目標アプリケーションサーバに基づいて、前記アクセス要求を発したユーザの認証を行う必要があるか否かを判断することと、
前記ユーザの認証を行う必要がないと、所定の方式で前記アクセス要求に応答するように前記目標アプリケーションサーバのアプリケーションプロキシを制御することと、
前記ユーザの認証を行う必要があると、前記ユーザのアクセス権限を取得し、前記アクセス権限に対応する方式で前記アクセス要求に応答するように前記目標アプリケーションサーバのアプリケーションプロキシを制御することと、を含む請求項１に記載の方法。
【請求項５】
所定の方式で前記アクセス要求に応答するように前記目標アプリケーションサーバのアプリケーションプロキシを制御することは、
前記ユーザに固定値の伝送リソースと、計算リソースと、記憶リソースとを割り当てることと、
割り当てられた伝送リソースと、計算リソースと、記憶リソースとを用いて前記アクセス要求に応答するように、前記目標アプリケーションサーバのアプリケーションプロキシを制御することと、を含む請求項４に記載の方法。
【請求項６】
前記ユーザのアクセス権限を取得することは、
アプリケーション情報テーブル又は前記目標アプリケーションサーバから前記ユーザのアクセス権限を取得することを含み、
前記ユーザのアクセス権限は前記目標アプリケーションサーバに対するアクセス権限及び/又はローカルネットワークに対するアクセス権限を含む請求項４に記載の方法。
【請求項７】
前記アクセス権限に対応する方式で前記アクセス要求に応答するように前記目標アプリケーションサーバのアプリケーションプロキシを制御することは、
前記ユーザのアクセス権限に応じて、前記ユーザに伝送リソースと、計算リソースと、記憶リソースとを割り当てることと、
割り当てられた伝送リソースと、計算リソースと、記憶リソースとを用いて前記アクセス要求に応答するように、前記目標アプリケーションサーバのアプリケーションプロキシを制御することと、を含む請求項６に記載の方法。
【請求項８】
前記目標アプリケーションサーバに基づいて、前記アクセス要求を発したユーザの認証を行う必要があるか否かを判断した後、
認証を行う必要がある場合、前記ユーザの認証結果をアプリケーションリストに保存することをさらに含み、
前記ユーザの認証結果は、予め設定された値の時間だけ保存されている請求項４に記載の方法。
【請求項９】
前記目標アプリケーションサーバのアプリケーションプロキシによって前記アクセス要求に応答した後、
前記アクセス要求を発したユーザのアクセス情報を収集することと、
前記ユーザのアクセス情報を分析することで前記ユーザのアクセス習慣を決定することと、
前記ユーザのアクセス習慣に合う情報をキャッシングすることと、をさらに含む請求項１に記載の方法。
【請求項１０】
目標アプリケーションサーバの識別情報が含まれ、前記目標アプリケーションサーバへのアクセスを要求するためのアクセス要求を取得するように構成された要求取得ユニットと、
前記目標アプリケーションサーバの識別情報に基づいて、ローカルに前記目標アプリケーションサーバのアプリケーションプロキシが設定されたか否かを判断するように構成された判断ユニットと、
ローカルに前記目標アプリケーションサーバのアプリケーションプロキシが設定されたと判断された場合、前記目標アプリケーションサーバのアプリケーションプロキシによって前記アクセス要求に応答するように構成された応答ユニットと、を含むアクセス要求の応答装置。
【請求項１１】
前記判断ユニットは、
アプリケーションサーバのデータ転送及びローカルのキャッシュデータを用いた前記アクセス要求への応答を行うためのアプリケーションプロキシがローカルに設定された複数のアプリケーションサーバの識別情報を保存するためのアプリケーション情報リストを取得するように構成された情報取得モジュールと、
前記アプリケーション情報リストに前記目標アプリケーションサーバの識別情報に一致する識別情報があるか否かを判断し、前記アプリケーション情報リストに前記目標アプリケーションサーバの識別情報に一致する識別情報がある場合、ローカルに前記目標アプリケーションサーバのアプリケーションプロキシがあると判断するように構成された第１の判断モジュールと、を含む請求項１０に記載の装置。
【請求項１２】
前記応答ユニットは、
前記目標アプリケーションサーバに基づいて、前記アクセス要求を発したユーザの認証を行う必要があるか否かを判断するように構成された第２の判断モジュールと、
前記ユーザの認証を行う必要がないと、所定の方式で前記アクセス要求に応答するように前記目標アプリケーションサーバのアプリケーションプロキシを制御するように構成された第１の応答モジュールと、
前記ユーザの認証を行う必要があると、前記ユーザのアクセス権限を取得し、前記アクセス権限に対応する方式で前記アクセス要求に応答するように前記目標アプリケーションサーバのアプリケーションプロキシを制御するように構成された第２の応答モジュールと、を含む請求項１０に記載の装置。
【請求項１３】
前記第１の応答モジュールは、
前記ユーザに固定値の伝送リソースと、計算リソースと、記憶リソースとを割り当てるように構成された第１の割当サブモジュールと、
割り当てられた伝送リソースと、計算リソースと、記憶リソースとを用いて前記アクセス要求に応答するように、前記目標アプリケーションサーバのアプリケーションプロキシを制御するように構成された第１の応答サブモジュールと、を含む請求項１２に記載の装置。
【請求項１４】
前記第２の応答モジュールは、
アプリケーション情報テーブル又は前記目標アプリケーションサーバから前記ユーザのアクセス権限を取得するように構成された取得サブモジュールを含み、
前記ユーザのアクセス権限は、前記目標アプリケーションサーバに対するアクセス権限及び/又はローカルネットワークに対するアクセス権限を含む請求項１２に記載の装置。
【請求項１５】
前記第２の応答モジュールは、
前記ユーザのアクセス権限に応じて、前記ユーザに伝送リソースと、計算リソースと、記憶リソースとを割り当てるように構成された第２の割当サブモジュールと、
割り当てられた伝送リソースと、計算リソースと、記憶リソースとを用いて前記アクセス要求に応答するように、前記目標アプリケーションサーバのアプリケーションプロキシを制御するように構成された第２の応答サブモジュールをさらに含む請求項１４に記載の装置。
【請求項１６】
前記目標アプリケーションサーバのアプリケーションプロキシによって前記アクセス要求に応答した後、前記アクセス要求を発したユーザのアクセス情報を収集するように構成された収集ユニットと、
前記ユーザのアクセス情報を分析することで前記ユーザのアクセス習慣を決定するように構成された分析ユニットと、
前記ユーザのアクセス習慣に合う情報をキャッシングするように構成されたキャッシングユニットと、をさらに含む請求項１０に記載の装置。
【請求項１７】
請求項１０乃至１６の中のいずれか一項に記載のアクセス要求の応答装置を含む基地局。
【請求項１８】
端末と、基地局と、コアネットワークと、目標アプリケーションサーバと、を含み、前記基地局が前記コアネットワークを介して前記目標アプリケーションサーバに接続されるアクセス要求の応答システムであって、
前記端末が前記基地局に目標アプリケーションサーバへのアクセスを要求するためのアクセス要求を発した時、前記基地局は、ローカルに前記目標アプリケーションサーバのアプリケーションプロキシが設定された場合、前記目標アプリケーションサーバのアプリケーションプロキシによって前記アクセス要求に応答するアクセス要求の応答システム。
【請求項１９】
前記基地局は、前記目標アプリケーションサーバの識別情報に基づいて、ローカルに前記目標アプリケーションサーバのアプリケーションプロキシが設定されたか否かを判断する請求項１８に記載のシステム。
【請求項２０】
前記基地局は、前記目標アプリケーションサーバのアプリケーションプロキシによって前記アクセス要求に応答した後、前記アクセス要求を発したユーザのアクセス情報を収集し、前記ユーザのアクセス情報を分析することで前記ユーザのアクセス習慣を決定し、前記ユーザのアクセス習慣に合う情報をキャッシングする請求項１８又は１９に記載のシステム。
【請求項２１】
前記アプリケーションプロキシは、前記アプリケーションサーバのデータ転送及びローカルのキャッシュデータを用いた前記アクセス要求への応答を行うためのものである請求項１８に記載のシステム。
【請求項２２】
請求項１乃至９の中のいずれか一項に記載の方法を実行するためのプログラムを記憶した記憶媒体。
【発明の詳細な説明】
【技術分野】
【０００１】
本発明は、通信分野に関し、特に、基地局、アクセス要求の応答方法、装置及びシステムに関する。
【背景技術】
【０００２】
既存の無線通信システム（図１を参照）において、ＲＡＮ（Ｒａｄｉｏ  Ａｃｃｅｓｓ  Ｎｅｔｗｏｒｋ、無線アクセスネットワーク）構成設計の制限を受けて、ネットワーク全体をただ単純なデータ伝送ノードとしていて、通信事業者は現在の運営しているパイプラインから価値のある情報を抽出して利用することができず、絶えず増加しているデータやシグナル量に有効に対応できず、即ち、ダムパイプラインの問題に面してしまい、パイプライン内の異なるユーザの業務タイプを識別できず、例えば一層短い遅延や一層高帯域幅などのように特定のユーザ、特定の業務に対応するサービスを提供することができず、パイプライン内の全てのデータに同一の処理を行っている。これにより、モバイルインターネット時代において、通信事業者は音声、メッセージなどの伝統的な業務がＯＴＴ（Ｏｖｅｒ  Ｔｈｅ  Ｔｏｐ、即ち、ネットワークを介してユーザに各種のアプリサービスを提供する）の衝撃に面した場合、データ業務量の増加と収入の増加との釣り合いを取ることができなくなって、現在、基地局側のトラフィックパイプラインの機能が単一で、ベアリング能力が弱いので、通信事業者は、単純なトラフィックパイプラインを、業務能力を有するスマートパイプラインに改善して、パイプラインの開始点のネットワークエッジノードを単一のアクセス機能から業務処理能力を有するエッジスマートノードに変更して、無線ネットワークによるインターネットでの応用と政府及び企業類での応用におけるベアリング能力を向上させることを望んである。
【０００３】
既存技術において基地局のベアリング能力が弱い問題について、未だに有効な解決案を提示していない。
【発明の概要】
【発明が解決しようとする課題】
【０００４】
本発明の実施例において、少なくとも既存技術による基地局のベアリング能力が弱い問題を解決できる基地局、アクセス要求の応答方法、装置及びシステムを提供する。
【課題を解決するための手段】
【０００５】
本発明の実施例の一態様によると、目標アプリケーションサーバの識別情報が含まれ、目標アプリケーションサーバへのアクセスを要求するためのアクセス要求を取得することと、目標アプリケーションサーバの識別情報に基づいて、ローカルに目標アプリケーションサーバのアプリケーションプロキシが設定されたか否かを判断することと、ローカルに目標アプリケーションサーバのアプリケーションプロキシが設定されたと判断された場合、目標アプリケーションサーバのアプリケーションプロキシによってアクセス要求に応答することと、を含むアクセス要求の応答方法を提供する。
【０００６】
目標アプリケーションサーバの識別情報に基づいて、ローカルに目標アプリケーションサーバのアプリケーションプロキシが設定されたか否かを判断することは、アプリケーションサーバのデータ転送及びローカルのキャッシュデータを用いたアクセス要求への応答を行うためのアプリケーションプロキシがローカルに設定された複数のアプリケーションサーバの識別情報を保存するためのアプリケーション情報リストを取得することと、アプリケーション情報リストに目標アプリケーションサーバの識別情報に一致する識別情報があるか否かを判断し、アプリケーション情報リストに目標アプリケーションサーバの識別情報に一致する識別情報がある場合、ローカルに目標アプリケーションサーバのアプリケーションプロキシがあると判断することと、を含むことができる。
【０００７】
目標アプリケーションサーバの識別情報は、目標アプリケーションサーバのドメイン名、ＩＰアドレス、ポート番号及びプロトコル種類の中の少なくとも一つを含み、複数のアプリケーションサーバの識別情報は、複数のアプリケーションサーバのドメイン名、ＩＰアドレス、ポート番号及びプロトコル種類の中の少なくとも一つを含むことができる。
【０００８】
目標アプリケーションサーバのアプリケーションプロキシによってアクセス要求に応答することは、目標アプリケーションサーバに基づいて、アクセス要求を発したユーザの認証を行う必要があるか否かを判断することと、ユーザの認証を行う必要がないと、所定の方式でアクセス要求に応答するように目標アプリケーションサーバのアプリケーションプロキシを制御することと、ユーザの認証を行う必要があると、ユーザのアクセス権限を取得し、アクセス権限に対応する方式でアクセス要求に応答するように目標アプリケーションサーバのアプリケーションプロキシを制御することと、を含むことができる。
【０００９】
所定の方式でアクセス要求に応答するように目標アプリケーションサーバのアプリケーションプロキシを制御することは、ユーザに固定値の伝送リソースと、計算リソースと、記憶リソースとを割り当てることと、割り当てられた伝送リソースと、計算リソースと、記憶リソースとを用いてアクセス要求に応答するように、目標アプリケーションサーバのアプリケーションプロキシを制御することと、を含むことができる。
【００１０】
ユーザのアクセス権限を取得することは、アプリケーション情報テーブル又は目標アプリケーションサーバからユーザのアクセス権限を取得することを含み、ユーザのアクセス権限は目標アプリケーションサーバに対するアクセス権限及び/又はローカルネットワークに対するアクセス権限を含むことができる。
【００１１】
アクセス権限に対応する方式でアクセス要求に応答するように目標アプリケーションサーバのアプリケーションプロキシを制御することは、ユーザのアクセス権限に応じて、ユーザに伝送リソースと、計算リソースと、記憶リソースとを割り当てることと、割り当てられた伝送リソースと、計算リソースと、記憶リソースとを用いてアクセス要求に応答するように、目標アプリケーションサーバのアプリケーションプロキシを制御することと、を含むことができる。
【００１２】
目標アプリケーションサーバに基づいて、アクセス要求を発したユーザの認証を行う必要があるか否かを判断した後、上記方法は、認証を行う必要がある場合、ユーザの認証結果をアプリケーションリストに保存することをさらに含み、ユーザの認証結果は、予め設定された値の時間だけ保存されていることができる。
【００１３】
目標アプリケーションサーバのアプリケーションプロキシによってアクセス要求に応答した後、上記方法は、アクセス要求を発したユーザのアクセス情報を収集することと、ユーザのアクセス情報を分析することでユーザのアクセス習慣を決定することと、ユーザのアクセス習慣に合う情報をキャッシングすることと、をさらに含むことができる。
【００１４】
本発明の実施例の他の一態様によると、目標アプリケーションサーバの識別情報が含まれ、目標アプリケーションサーバへのアクセスを要求するためのアクセス要求を取得するように構成された要求取得ユニットと、目標アプリケーションサーバの識別情報に基づいて、ローカルに目標アプリケーションサーバのアプリケーションプロキシが設定されたか否かを判断するように構成された判断ユニットと、ローカルに目標アプリケーションサーバのアプリケーションプロキシが設定されたと判断された場合、目標アプリケーションサーバのアプリケーションプロキシによってアクセス要求に応答するように構成された応答ユニットと、を含むアクセス要求の応答装置を提供する。
【００１５】
判断ユニットは、アプリケーションサーバのデータ転送及びローカルのキャッシュデータを用いた前記アクセス要求への応答を行うためのアプリケーションプロキシがローカルに設定された複数のアプリケーションサーバの識別情報を保存するためのアプリケーション情報リストを取得するように構成された情報取得モジュールと、アプリケーション情報リストに目標アプリケーションサーバの識別情報に一致する識別情報があるか否かを判断し、アプリケーション情報リストに目標アプリケーションサーバの識別情報に一致する識別情報がある場合、ローカルに目標アプリケーションサーバのアプリケーションプロキシがあると判断するように構成された第１の判断モジュールと、を含むことができる。
【００１６】
応答ユニットは、目標アプリケーションサーバに基づいて、アクセス要求を発したユーザの認証を行う必要があるか否かを判断するように構成された第２の判断モジュールと、ユーザの認証を行う必要がないと、所定の方式でアクセス要求に応答するように目標アプリケーションサーバのアプリケーションプロキシを制御するように構成された第１の応答モジュールと、ユーザの認証を行う必要があると、ユーザのアクセス権限を取得し、アクセス権限に対応する方式でアクセス要求に応答するように目標アプリケーションサーバのアプリケーションプロキシを制御するように構成された第２の応答モジュールと、を含むことができる。
【００１７】
第１の応答モジュールは、ユーザに固定値の伝送リソースと、計算リソースと、記憶リソースとを割り当てるように構成された第１の割当サブモジュールと、割り当てられた伝送リソースと、計算リソースと、記憶リソースとを用いてアクセス要求に応答するように、目標アプリケーションサーバのアプリケーションプロキシを制御するように構成された第１の応答サブモジュールと、を含むことができる。
【００１８】
第２の応答モジュールは、アプリケーション情報テーブル又は目標アプリケーションサーバからユーザのアクセス権限を取得するように構成された取得サブモジュールを含み、ユーザのアクセス権限は、目標アプリケーションサーバに対するアクセス権限及び/又はローカルネットワークに対するアクセス権限を含むことができる。
【００１９】
第２の応答モジュールは、ユーザのアクセス権限に応じて、ユーザに伝送リソースと、計算リソースと、記憶リソースとを割り当てるように構成された第２の割当サブモジュールと、割り当てられた伝送リソースと、計算リソースと、記憶リソースとを用いてアクセス要求に応答するように目標アプリケーションサーバのアプリケーションプロキシを制御するように構成された第２の応答サブモジュールをさらに含むことができる。
【００２０】
上記装置は、目標アプリケーションサーバのアプリケーションプロキシによってアクセス要求に応答した後、アクセス要求を発したユーザのアクセス情報を収集するように構成された収集ユニットと、ユーザのアクセス情報を分析することでユーザのアクセス習慣を決定するように構成された分析ユニットと、ユーザのアクセス習慣に合う情報をキャッシングするように構成されたキャッシングユニットと、をさらに含むことができる。
【００２１】
本発明の実施例の他の一態様によると、上述したいずれかのアクセス要求の応答装置を含む基地局を提供する。
【００２２】
本発明の実施例の他の一態様によると、端末と、基地局と、コアネットワークと、目標アプリケーションサーバと、を含み、基地局がコアネットワークを介して目標アプリケーションサーバに接続されるアクセス要求の応答システムであって、端末が基地局に目標アプリケーションサーバへのアクセスを要求するためのアクセス要求を発した時、基地局は、ローカルに目標アプリケーションサーバのアプリケーションプロキシが設定された場合、目標アプリケーションサーバのアプリケーションプロキシによってアクセス要求に応答するアクセス要求の応答システムを提供する。
【００２３】
基地局は、目標アプリケーションサーバの識別情報に基づいて、ローカルに目標アプリケーションサーバのアプリケーションプロキシが設定されたか否かを判断することができる。
【００２４】
基地局は、目標アプリケーションサーバのアプリケーションプロキシによってアクセス要求に応答した後、アクセス要求を発したユーザのアクセス情報を収集し、ユーザのアクセス情報を分析することでユーザのアクセス習慣を決定し、ユーザのアクセス習慣に合う情報をキャッシングすることができる。
【００２５】
アプリケーションプロキシは、アプリケーションサーバのデータ転送及びローカルのキャッシュデータを用いたアクセス要求への応答を行うためのものであることができる。
【００２６】
本発明の他の実施例によると、目標アプリケーションサーバの識別情報が含まれ目標アプリケーションサーバへのアクセスを要求するためのアクセス要求を取得するステップと、目標アプリケーションサーバの識別情報に基づいて、ローカルに目標アプリケーションサーバのアプリケーションプロキシが設定されたか否かを判断するステップと、ローカルに目標アプリケーションサーバのアプリケーションプロキシが設定されたと判断された場合、目標アプリケーションサーバのアプリケーションプロキシによってアクセス要求に応答するステップと、を実行するためのプログラムコードを記憶するように構成された記憶媒体を提供する。
【発明の効果】
【００２７】
本発明の実施例において、目標アプリケーションサーバの識別情報が含まれ、目標アプリケーションサーバへのアクセスを要求するためのアクセス要求を取得し、目標アプリケーションサーバの識別情報に基づいて、ローカルに目標アプリケーションサーバのアプリケーションプロキシが設定されたか否かを判断し、ローカルに目標アプリケーションサーバのアプリケーションプロキシが設定されたと判断された場合、目標アプリケーションサーバのアプリケーションプロキシによってアクセス要求に応答し、つまり、基地局が要求を受信すると、対応するアプリケーションプロキシがあるアクセス要求の処理をアプリケーションプロキシに任せることができ、既存技術において基地局のベアリング能力が弱い問題を解決し、基地局のベアリング能力を向上させる技術効果を実現できる。
【図面の簡単な説明】
【００２８】
ここで説明する図面は本発明を一層理解させるためのもので、本願の一部を構成し、本発明に示す実施例及びその説明は本発明を解釈するもので、本発明を限定するものではない。
【図１】既存技術におけるＲＡＮシステムを示す図である。
【図２】本発明の実施例に係るコンピュータ端末を示す図である。
【図３】本発明の実施例に係るアクセス要求の応答方法を示すフローチャートである。
【図４】本発明の実施例に係る好適な基地局を示す図である。
【図５】本発明の実施例に係る好適なＲＡＮシステムを示す図である。
【図６】本発明の実施例に係る好適なアプリケーションリストを示す図である。
【図７】本発明の実施例に係るアクセス要求の応答装置を示す図である。
【図８】本発明の実施例に係るアクセス要求の応答システムを示す図である。
【発明を実施するための形態】
【００２９】
以下、図面を参照しつつ実施例を結合して本発明を詳しく説明する。なお、衝突しない場合、本願の実施例及び実施例中の特徴を互いに組み合わせすることができる。
【００３０】
なお、本発明の明細書と特許請求の範囲及び図面における「第１」、「第２」などの用語は、特定の順序又は先後順を説明するものではなく、類似する対象を区別するためのものである。
【００３１】
実施例１
本願の実施例１で提供される方法実施例は、移動端末、コンピュータ端末又は類似する演算装置で実行されることができる。移動端末で実行される場合を例にすると、図２に示すように、コンピュータ端末は、一つ又は複数の（図面には一つのみを示す）プロセッサ２０１（プロセッサ２０１は、マイクロプロセッサＭＣＵ又はプログラマブルロジックデバイスＦＰＧＡなどの処理装置を含むが、これらに限定されることはない）と、データを記憶するように構成されたメモリ２０３と、通信機能を有する伝送装置２０５と、を含むことができる。図２に示す構造は例示的なもので、上記電子装置の構造を限定するものではないことを当業者は理解できる。
【００３２】
メモリ２０３は、アプリケーションソフトウェアのソフトウェアプログラム及びモジュールを記憶するように構成され、例えば本発明の実施例中の機器の制御方法に対応するプログラムコマンド/モジュールを記憶することができ、プロセッサ２０１はメモリ２０３に記憶されたソフトウェアプログラム及びモジュールを実行することで、各種の機能アプリケーション及びデータ処理を行い、即ち、上述した方法を実現する。メモリは、高速ランダムメモリを含むことができ、例えば一つ又は複数の磁性記憶装置、フラッシュメモリ又は他の非揮発性固体メモリなどの非揮発性メモリをさらに含むことができる。一部の実例において、メモリはプロセッサに対して遠隔に設置されたメモリをさらに含むことができ、これらの遠隔メモリはネットワークを介してコンピュータ端末に接続されることができる。上記ネットワークの実例はインターネット、イントラネット、ローカルエリアネットワーク、移動通信ネットワークとその組み合わせを含むことができる。
【００３３】
伝送装置は、ネットワークを介してデータの受信又は送信を行うように構成される。上記ネットワークの具体的な実例は、コンピュータ端末の通信プロバイダが提供した無線ネットワークを含むが、これに限定されることはない。一実例において、伝送装置は一つのネットワークアダプタ（Ｎｅｔｗｏｒｋ  Ｉｎｔｅｒｆａｃｅ  Ｃｏｎｔｒｏｌｌｅｒ、ＮＩＣ）を含み、基地局を介して他のネットワーク機器に接続されてインターネットとの通信を行うことができる。一実例において、伝送装置は、無線方式でインターネットと通信を行う無線周波数（Ｒａｄｉｏ  Ｆｒｅｑｕｅｎｃｙ、ＲＦ）モジュールであることができる。
【００３４】
現在のＲＡＮアーキテクチャは密封された機能カスタマイズの垂直一体化ハードウェアシステムで、装置プロバイダによってソフトとハードの一体化総合ソリューションが提供され、外部に標準インタフェースを提供せず、或いは少し提供して、第３者のアプリケーションとプログラムを導入することができないので、無線ネットワーク全体が一つの伝送パイプラインのみとなる。図１に示すように、ユーザ端末のアプリケーションＡＰＰ（Ａｐｐｌｉｃａｔｉｏｎ）がコアネットワークの後の共通Ｉｎｔｅｒｎｅｔ上に置かれたサーバ（即ち、ＡＰＰ  Ｓｅｒｖｅｒ）にアクセスしなければならず、ユーザとＡＰＰ  ｓｅｒｖｅｒとの距離が遠いか近いかに関わらず、いずれも、ステップＳ１０１、即ち基地局（基地局のタイプはＮｏｄｅＢ又はｅＮｏｄｅＢ）からコアネットワークへのパイプライン（即ち、インターネット）を介して、アプリケーションサーバからデータを取得しなければならない。ＡＰＰ  Ｓｅｒｖｅｒの負荷バランスの調整がＩｎｔｅｒｎｅｔのリモート側で行われ、パイプラインもローカルオフロードをサポートしないので、遠隔のＡＰＰ  Ｓｅｒｖｅｒのトラフィックが障害になって、基地局側のベアリング能力に影響を及ぼすことになる。
【００３５】
通信事業者のダムパイプライン問題を解決するため、ＩＭＴ２０２０（５Ｇ）（Ｉｎｔｅｒｎａｔｉｏｎａｌ  Ｍｏｂｉｌｅ  Ｔｅｌｅｃｏｍｍｕｎｉｃａｔｉｏｎ  ｆｏｒ  ２０２０）推進グループによる《５Ｇネットワーク技術アーキテクチャホワイトペーパー》において、移動エッジ計算（ＭＥＣ：Ｍｏｂｉｌｅ−Ｅｄｇｅ  Ｃｏｍｐｕｔｉｎｇ）技術は移動ユーザに近づく位置で情報技術サービス環境とクラウドコンピューティング能力を提供し、コンテンツをユーザ側（例えば基地局）近傍に配布、伝送することで、アプリケーションや、サービス、コンテンツを全て高度に分布された環境に配置して、５Ｇネットワークにおける低遅延と高帯域幅の業務要求をさらにサポートすると定義した。ＩＭＴ２０２０は一部のアプリケーションシーンと標準的なインタフェースを定義しただけで、如何に実施するか、如何に一層良好なユーザ体験を取得するかは具体的に説明していない。ＩＭＴ２０２０により提案された構想を実現するため、本願において以下のような実現方法を提示する。
【００３６】
本発明の実施例によると、アクセス要求の応答方法の方法実施例を提供する。なお、フローチャートに示すステップは例えば１セットのコンピュータがコマンドを実行可能なコンピュータシステムで実行されることができ、そして、フローチャートにロジック順を示しているが、場合によってはそれと異なる順で図面に示すステップ又は説明したステップを実行することもできる。
【００３７】
図３は本発明の実施例に係るアクセス要求の応答方法を示すフローチャートである。図３に示すように、該方法は以下のステップを含む。
【００３８】
目標アプリケーションサーバへのアクセスを要求するためのアクセス要求を取得し（ステップＳ３０１）、ここで、アクセス要求に目標アプリケーションサーバの識別情報が含まれている。
【００３９】
目標アプリケーションサーバの識別情報に基づいて、ローカルに目標アプリケーションサーバのアプリケーションプロキシが設定されたか否かを判断する（ステップＳ３０２）。
【００４０】
ローカルに目標アプリケーションサーバのアプリケーションプロキシが設定されたと判断された場合、目標アプリケーションサーバのアプリケーションプロキシによってアクセス要求に応答する（ステップＳ３０３）。
【００４１】
上記実施例によれば、目標アプリケーションサーバの識別情報が含まれ、目標アプリケーションサーバへのアクセスを要求するためのアクセス要求を取得し、目標アプリケーションサーバの識別情報に基づいて、ローカルに目標アプリケーションサーバのアプリケーションプロキシが設定されたか否かを判断し、ローカルに目標アプリケーションサーバのアプリケーションプロキシが設定されたと判断された場合、目標アプリケーションサーバのアプリケーションプロキシによってアクセス要求に応答し、つまり、基地局が要求を受信すると、対応するアプリケーションプロキシがあるアクセス要求の処理をアプリケーションプロキシに任せることができ、既存技術において基地局のベアリング能力が弱い問題を解決し、基地局のベアリング能力を向上させる技術効果を実現できる。
【００４２】
上記ステップを実行する主体は、基地局、無線アクセス点などであることができるが、これに限定されることはない。以下、基地局を例に本願の実施例を説明する。
【００４３】
本願の上記技術案を実現するため、図４に示すように、新たな基地局構成を提供し、既存の基地局を基に、第３者のアプリケーションプロキシモジュール（即ち、ＡＰＰ  Ｐｒｏｘｙ）４０１と、アプリケーション分析モジュール４０２と、ローカルサービスモジュール４０３と、ローカルアプリケーションリスト４０４と、統合的ハードウェア及びソフトウェアのプラットフォーム４０５と、基地局業務モジュール４０６などのモジュールを追加することができ、一部の基地局の通信モジュールの機能を修正する。
【００４４】
上記基地局を図５に示すシステムに応用した場合、端末のアプリケーションは直接に基地局のアプリケーションプロキシとインタラクション（即ち、ステップＳ５０１）を行って、データのインタラクションを行うことができ、認証（即ち、ステップＳ５０２）に成功した後、直接にアプリケーションサーバとインタラクション（即ち、ステップＳ５０３）を行うこともでき、ここでデータの要求やデータのインタラクションなどを含み、コアネットワーク、インターネットを介して転送する必要がなく、基地局は単純なデータ転送ノードではなく、業務のタイプ、機器のタイプ、ユーザのタイプを感知することができ、ローカル記憶とデータコンテンツの最適化能力を具備し、通信事業者も現在運営しているパイプラインから価値のある情報を抽出して利用することができ、絶えず増加しているデータやシグナルのトラフィックに有効に対応できる。以下、各モジュールの機能を詳しく説明する。
【００４５】
第３者のアプリケーションプロキシモジュール：第３者のアプリケーションプロキシモジュールは、ＡＰＰ  Ｓｅｒｖｅｒプロキシに相当し、ユーザの端末アプリケーション４０７に一部のサービスを提供し、ユーザのＡＰＰとインタラクションしてもよいし、ＡＰＰ  Ｓｅｒｖｅｒ（即ち、アプリケーションサーバ４０８）とインタラクションしてもよく、具体的にはコンテンツインタフェース、分析報知インタフェースを介してインタラクションを行う。
【００４６】
アプリケーション分析モジュール：アプリケーション分析モジュールは、ユーザ行為の合法性の分析を行うことができる。
【００４７】
ローカルサービスモジュール：ローカルサービスモジュールは、ローカルサービスインタフェースを介して、ローカルデータについてのオフロード処理などのローカルリソース４０９についての操作を提供することができる。
【００４８】
ローカルアプリケーションリスト：ローカルでサポートするアプリケーションタイプとアプリケーションアドレスを含むエントリーは、主に、例えば常駐アプリケーションのドメイン名、常駐アプリケーションのサーバＩＰ、アプリケーションにアクセスするユーザレベルなどのユーザのアプリケーションの情報を含む。
【００４９】
基地局が提供する統合的ハードウェア及びソフトウェアのプラットフォーム：ＮＦＶ（Ｎｅｔｗｏｒｋ  Ｆｕｎｃｔｉｏｎ  Ｖｉｒｔｕａｌｉｚａｔｉｏｎ、ネットワーク機能仮想化）とＳＤＮ（Ｓｏｆｔｗａｒｅ  Ｄｅｆｉｎｅｄ  Ｎｅｔｗｏｒｋ、ソフトウェア定義ネットワーク）であることができるが、これらに限定されることはなく、基地局の業務（即ち、基地局の業務モジュールが提供する機能）と第３者のアプリケーションを同時に実行できればよい。統一的なオーケストレーション（即ち、Ｏｒｃｈｅｓｔｒａｔｏｒ）によって、第３者のアプリケーションの一部のプロキシ機能を基地局に駐留させて、該プロキシ機能はユーザのアプリケーションと通信を行ってもよいし、アプリケーションサーバと通信を行ってもよく、基地局が第３者のアプリケーションに標準インタフェースを提供する。
【００５０】
上述したモジュールの他、基地局は通信モジュールをさらに含み、基本的な通信機能を提供できるとともに、外部に一部の標準インタフェース（例えば、コンテンツインタフェース、分析報知インタフェース、ローカルサーバインタフェースなど）を提供することもできる。
【００５１】
なお、第３者のアプリケーション標準インタフェースは、位置情報、ユーザアクセス先アドレス、ユーザ識別子（例えば、ＩＭＳＩ、Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、国際移動ユーザ識別子、ＩＭＥＩ，Ｉｎｔｅｒｎａｔｉｏｎａｌ  Ｍｏｂｉｌｅ  Ｅｑｕｉｐｍｅｎｔ  Ｉｄｅｎｔｉｔｙ、国際移動機器マーク）の取得、ユーザローカルＩＰの配置、認証認定の取得などのインタフェースを含む。
【００５２】
例えば、ユーザが団地に入ってローカルネットワークにアクセスする場合、ユーザがローカルネットワークにアクセスすると、基地局に駐留するローカルアプリケーションはまず、ユーザが団地付近にあって（位置情報）、ローカルネットワークへのアクセス権限を有することを識別し（ユーザの権限取得）、基地局がユーザにローカルＩＰを割り当て、ユーザがローカルネットワークにアクセスする際、ローカルＩＰでパブリックネットワークＩＰを入れ替える。基地局に駐留している第３者のアプリケーションはユーザのＩＭＳＩ（即ち、国際移動体加入者識別番号）又はＩＭＥＩ（国際移動体装置識別番号）などの情報（即ち、ユーザ識別子）に基づいて、ユーザの習慣を合法的に分析することができる。
【００５３】
上述した基地局は本願の上記方法の実行に用いられることができ、例えば、目標アプリケーションサーバの識別情報に基づいて、ローカルに目標アプリケーションサーバのアプリケーションプロキシが設定されたか否かを判断する時、ローカルにアプリケーションプロキシを設定している複数のアプリケーションサーバの識別情報を保存しているアプリケーション情報リストを取得することと、ここで、アプリケーションプロキシはアプリケーションサーバのデータを転送したりローカルのキャッシュデータを用いてアクセス要求に応答したりし、また、アプリケーション情報リストに目標アプリケーションサーバの識別情報に一致する識別情報があるか否かを判断し、アプリケーション情報リストに目標アプリケーションサーバの識別情報に一致する識別情報がある場合、ローカルに目標アプリケーションサーバのアプリケーションプロキシがあると判断することによって、実現することができる。
【００５４】
上述した目標アプリケーションサーバの識別情報は、目標アプリケーションサーバのドメイン名、ＩＰアドレス、ポート番号、プロトコル種類の中の少なくとも一つを含み、複数のアプリケーションサーバの識別情報は、複数のアプリケーションサーバのドメイン名、ＩＰアドレス、ポート番号、プロトコル種類の中の少なくとも一つを含む。
【００５５】
なお、基地局は駐留した第３者のアプリケーションが提供可能な機能に基づいて、アプリケーションリストを動的に生成することができる。図６に示すように、該リストは、常駐アプリケーションドメイン名（ｄｏｍａｉｎ  ｎａｍｅ）、常駐アプリケーションサーバＩＰ（Ｉｎｔｅｒｎｅｔ  Ｐｒｏｔｏｃｏｌ）アドレス、アクセスユーザのユーザレベルなどの情報を含むことができる。
【００５６】
ユーザが基地局を介してアプリケーションサービスにアクセスする場合、第３者のアプリケーションプロキシは、基地局の通信モジュールが提供する標準インタフェースを介してユーザのアクセス情報を取得し、基地局はアプリケーションリストの情報に基づいてユーザのデータストリームのマッチングを行い、マッチングに成功すると、ユーザによるローカル基地局アプリケーションプロキシへのアクセスを優先に許可する。基地局のアプリケーションリストにマッチングしない又はマッチングに失敗すると、直接にＩｎｔｅｒｎｅｔ上のＡＰＰ  Ｓｅｒｖｅｒにアクセスする。
【００５７】
前もって説明しておくことは、ユーザの認証結果をアプリケーションリストに保存し、ユーザの認証結果の保存時間を予め設定された値（例えば、１０分、１０時間など）に設定して、次回の認証を行う時、遠隔のアプリケーションサーバで行う必要がなく、アプリケーションリストによって判断すればよい。
【００５８】
上記実施例において、目標アプリケーションサーバのアプリケーションプロキシによってアクセス要求に応答することは、目標アプリケーションサーバに基づいて、アクセス要求を発したユーザの認証を行う必要があるか否かを判断することと、ユーザの認証を行う必要がないと、目所定の方式でアクセス要求に応答するように標アプリケーションサーバのアプリケーションプロキシを制御することと、ユーザの認証を行う必要があると、ユーザのアクセス権限を取得し、アクセス権限に対応する方式でアクセス要求に応答するように目標アプリケーションサーバのアプリケーションプロキシを制御することと、を含む。
【００５９】
認証を行う必要のあるアプリケーションは固定されたものであるので、アプリケーションの名称に基づいて認証の必要性を判断することができ、認証を行う必要がないと判断された場合、つまりユーザの業務権限レベル、優先度などを判断する必要がない場合、所定の方式でアクセス要求に応答するように目標アプリケーションサーバのアプリケーションプロキシを制御することは、ユーザに固定値の伝送リソースと、計算リソースと、記憶リソースとを割り当てる、即ち全てのユーザに同一なリソースを割り当てることと、割り当てられた伝送リソースと、計算リソースと、記憶リソースとを用いてアクセス要求に応答するように、目標アプリケーションサーバのアプリケーションプロキシを制御することと、を含む。
【００６０】
ユーザが前回のアクセスを行う時に取得したアクセス権限が基地局側のアプリケーション情報テーブルに一定時間だけ保存されるので、ユーザのアクセス権限を取得する時、アプリケーション情報テーブルからユーザのアクセス権限を取得することができ、アプリケーション情報テーブルにないと、目標アプリケーションサーバからユーザのアクセス権限を取得することができる。
【００６１】
上述したユーザのアクセス権限は、目標アプリケーションサーバに対するアクセス権限及び/又はローカルネットワークに対するアクセス権限を含む。つまり、ユーザが外部ネットワークにアクセスする際は、ユーザがアクセスする目標アプリケーションサーバのアクセス権限について認証を行い、ユーザがローカルネットワークにアクセスする際は、ユーザによるローカルネットワークについての権限について認証を行い、ローカルの目標アプリケーションサーバの権限について認証を行うこともでき、又は両方の認証を行わなければならない。
【００６２】
認証を行う必要がある場合、ユーザの業務権限レベル、優先度などを判断して、その権限レベルに合致するサービスを提供することができ、アクセス権限に対応する方式でアクセス要求に応答するように目標アプリケーションサーバのアプリケーションプロキシを制御する場合、ユーザのアクセス権限に応じて、ユーザに伝送リソースと、計算リソースと、記憶リソースとを割り当てることと、割り当てられた伝送リソースと、計算リソースと、記憶リソースと、を用いてアクセス要求に応答するように目標アプリケーションサーバのアプリケーションプロキシを制御することによって実現する。
【００６３】
本願のアプリケーションプロキシは、常用のデータ転送機能の他に、データ処理と分析機能も具備する。即ち、ユーザの好みに応じてユーザの習慣の分析を行って、ユーザの習慣を満たすデータ情報をキャッシングする。
【００６４】
上記実施例によると、アプリケーションの認証が必要であると、基地局に駐留したアプリケーションプロキシがアプリケーションサーバ側又はアプリケーション情報リストからユーザのサービスレベルを取得し、サービスレベルに応じてユーザにリソースを割り当て、該リソースは無線エアーインタフェースの帯域幅又はタイムスロットリソース、基地局計算リソース、基地局記憶リソース、伝送リソースなどを含み、これにより、サービスレベルの高いユーザのサービスを優先に保証することができる。
【００６５】
好適な実施例において、基地局での第３者のアプリケーションプロキシはユーザのアクセス情報を合法的に収集して、アクセス情報又はアクセス情報についての分析結果を、インタフェースを介してサーバに送信して処理させることができる。アプリケーションサーバは、ユーザのアクセス情報に基づいて、一部の情報（即ち、アクセス習慣に合う情報）を基地局のアプリケーションプロキシに推薦して伝送するか、或いは、基地局のアプリケーションプロキシはアプリケーションサーバから自発的に一部の情報をダウンロードしてキャッシングする。つまり、目標アプリケーションサーバのアプリケーションプロキシによってアクセス要求に応答した後、アクセス要求を発したユーザのアクセス情報を収集し（即ち、ユーザのアクセス要求で要求されたアクセスの情報）、ユーザのアクセス情報を分析することでユーザのアクセス習慣を決定し、ユーザのアクセス習慣に合う情報をキャッシングする。即ち、ユーザの習慣を分析して、ユーザのアクセス回数又はアクセス時間が一定の予め設定された値に達するタイプの情報を選別し、その後、該タイプの情報を推薦して伝送する。例えば、ユーザがしばしばバスケットボールライブをみる場合、新しいバスケットボールライブがあると、ユーザに事前に推薦する。或いは、ユーザが買い物好きな人であり、特にあるタイプの電子製品に好みがある場合、当該タイプの電子製品の動的変更があると、ユーザに推薦することができる。
【００６６】
上記実施例において、第３者のアプリケーションはローカルリソースについての操作インタフェースを提供し、基地局に常駐アプリケーションプロキシは一部の操作インタフェースを提供することができ、ユーザはこれらのインタフェースを介して、一部の情報を事前に閲覧又はキャッシングすることができる。第３者のアプリケーションは、ユーザがアクセスを要求したリソースがローカルにキャッシングされたことを知った場合、直接にローカルリソースにアクセスして、ユーザ情報をローカルネットワークに優先してオフロードさせることができる。通信事業者は、ローカルリソースへのアクセスを別途に課金することができ、基地局に駐留したサービスコンテンツプロバイダの課金を行うこともできる。
【００６７】
上記基地局で本願の方法を実現する場合、以下のステップによって実現することができる。
【００６８】
ステップＳ１１：第３者のアプリケーションが一部のプロキシ（ＡＰＰ  Ｐｒｏｘｙ）機能を基地局に駐留し、該プロキシ機能はユーザのアプリケーションと通信を行うことができれば、アプリケーションサーバと通信を行うこともでき、基地局は第３者のアプリケーションに標準インタフェースを提供する。
【００６９】
ステップＳ１２：基地局が、業務の統一的なオーケストレーションに応じて、基地局に駐留した第３者のアプリケーションが提供可能な機能を取得し、テンプレートに従って対応するクエリファイルを生成し、ここで、アプリケーションのドメイン名と、サーバＩＰアドレスと、ユーザサービスレベルなどの情報を含む。
【００７０】
ステップＳ１３：ユーザが、アプリケーションによって、基地局を経由してアプリケーションサーバにアクセスする場合、基地局が、ユーザがアクセスするアプリケーションサーバのドメイン名又は目的ＩＰなどの情報に基づいて、ローカルのアプリケーションリストのマッチングを行い、マッチングに成功すると、ユーザにローカルにアクセスするためのＩＰを割り当てる。マッチングに成功しないと、直接にコアネットワークにメッセージを転送してインターネットへ転送する。
【００７１】
ステップＳ１４：アプリケーションの認証を行う必要があると、アプリケーションＳｅｒｖｅｒ側で認証した後、基地局に駐留するアプリケーションプロキシがアプリケーションサーバからユーザのサービスレベルなどの情報を取得する。ユーザサービスレベルの高いユーザについては、さらに良好でさらに多い無線エアーインタフェースリソース（Ｒｅｓｏｕｒｃｅ  Ｂｌｏｃｋ、ＲＢと略称する。）を割り当て、又は基地局でさらに多い計算と記憶リソースを割り当てて、またさらに多い伝送帯域幅リソースなどを割り当てて、ユーザサービスレベルの高いユーザのサービス品質を保証する。
【００７２】
ステップＳ１５：基地局に駐留した第３者のアプリケーションプロキシは、ユーザアクセス情報を合法的に収集して、これらのアクセス情報又はアクセス情報の分析結果を、インタフェースを介してアプリケーションサーバに送信して処理させる。アプリケーションサーバはこれらの情報の分析結果に基づいて、主動に一部の情報を基地局のアプリケーションプロキシに推薦し、又は基地局のアプリケーションプロキシが自発的にアプリケーションサーバから一部の情報をダウンロードしてキャッシングする。基地局のアプリケーションプロキシはこれらの情報を自発的にユーザに推薦して伝送する。
【００７３】
ステップＳ１６：第３者のアプリケーションは一部のローカルリソースの操作を提供し、基地局に常駐アプリケーションプロキシは一部の操作インタフェースを提供し、ユーザは界面を介して、又はこれらのインタフェースをスケジューリングして自発的に一部の情報を予約購読又は予め手キャッシングし、又は一部のローカルリソースの操作を提供する。
【００７４】
ステップＳ１７：第３者のアプリケーションが、ユーザが直接に一部のローカルリソースにアクセスできることを発現すると、コアネットワークを介して転送せず、ユーザのデータをローカルネットワークに優先してオフロードする。
【００７５】
ステップＳ１８：通信事業者は、ローカルリソースのアクセスを単独に課金することができ、基地局に駐留したサービスコンテンツプロバイダの課金を行うこともできる。
【００７６】
以下、具体的な実施形態を結合して本願の実施例を詳しく説明する。
【００７７】
実施形態１
ユーザがビデオサイトにアクセスする。
【００７８】
ステップＳ２１：ビデオサイトは、アプリケーションプロキシを基地局側に駐留させて、基地局側でサービスのキャッシングを開始することができる。
【００７９】
ステップＳ２２：基地局が、常駐アプリケーションに基づいて、１枚のアプリケーションリストを生成し、該ビデオアプリケーションのドメイン名とサービスＩＰを含む。
【００８０】
ステップＳ２３：ユーザが、ビデオサイトアプリケーションにアクセスし、基地局が、ユーザがアクセスした目標ドメイン名又はＩＰアドレスのマッチングを行い、マッチングに成功すると、ユーザが優先に基地局側のアプリケーションプロキシにアクセスする。ユーザが基地局上のサービスにアクセスするのではないと、直接にＩｎｔｅｒｎｅｔにアクセスさせる。
【００８１】
ステップＳ２４：ビデオアプリケーションサーバがユーザの認証を行い、基地局に常駐アプリケーションプロキシがアプリケーションサーバからユーザの権限レベルを得て、権限レベルに応じて、ユーザに異なるエアーインタフェースリソース、計算記憶リソース及び伝送リソースなどを割り当てる。
【００８２】
ステップＳ２５：基地局に常駐アプリケーションプロキシは、ユーザの習慣を合法的に分析して、予め関連するビデオや、ニュース、広告を基地局によって割り当てられたキャッシュにキャッシングして、ユーザに推薦して伝送する。
【００８３】
ステップＳ２６：基地局に駐留したビデオでもアプリケーションはユーザのために一部のインタフェースを用意することができ、例えば、ホットビデオの情報が更新されると、基地局上のビデオアプリケーションの優先コンテンツがＩｎｔｅｒｎｅｔサーバからローカルにキャッシングされてユーザに通知される。
【００８４】
ステップＳ２７：通信事業者は、ローカルリソースのアクセスを単独に課金することができ、基地局に駐留したサービスコンテンツプロバイダの課金を行うこともできる。
【００８５】
実施形態２
ユーザが、スポーツ中継アプリケーションにアクセスする。
【００８６】
ステップＳ３１：スポーツ中継サイトが、アプリケーションの一部機能を基地局側に駐留させ、基地局側でキャッシングを開始する。
【００８７】
ステップＳ３２：基地局が、常駐アプリケーションに基づいて、１枚のアプリケーションリストを生成し，該ビデオ中継アプリケーションのドメイン名とサービスＩＰを含む。
【００８８】
ステップＳ３３：ユーザが、ビデオ中継アプリケーションにアクセスし、基地局が、ユーザがアクセスした目標ドメイン名又はＩＰアドレスのマッチングを行い、マッチングに成功すると、ユーザが優先に基地局側のアプリケーションプロキシにアクセスすることを許可する。ユーザが基地局上のサービスにアクセスするのではない又はマッチングに失敗すると、直接にＩｎｔｅｒｎｅｔにアクセスさせる。
【００８９】
ステップＳ３４：ビデオ中継アプリケーションサーバがユーザに認証を行い、基地局に常駐アプリケーションプロキシがアプリケーションサーバからユーザの権限レベルを取得し、権限レベルに応じて、ユーザに異なるエアーインタフェースリソース、計算記憶リソース及び伝送リソースなどを割り当てる。
【００９０】
ステップＳ３５：中継ビデオアプリケーションが、様々な角度のカメラアングルを提供し、ユーザが選択するように、インタフェース又はユーザ界面を提供して、単一の中継画面を回避し、伝送距離を短縮（直接に基地局によりローカルで返送させ、コアネットワークを通過させない）し、遅延を減少したので、ユーザに一層良好なサービスを提供することができる。
【００９１】
ステップＳ３６：通信事業者は、ユーザがアクセスしたローカルリソースを単独に課金することができ、基地局に駐留したサービスコンテンツプロバイダの課金を行うこともできる。
【００９２】
実施形態３
ユーザが、地域監視ビデオをみる。
【００９３】
ステップＳ４１：地域監視ビデオが、アプリケーションの一部の機能を基地局側に駐留させ、基地局側でキャッシングを開始する。
【００９４】
ステップＳ４２：基地局が常駐アプリケーションに基づいて、１枚のアプリケーションリストを生成し、該監視ビデオアプリケーションのドメイン名とサービスＩＰを含む。
【００９５】
ステップＳ４３：地域管理部は、携帯電話アプリケーションを介して、コンピュータ室の地域監視ビデオにアクセスし、基地局はユーザがアクセスした目標ドメイン名又はＩＰアドレスのマッチングを行い、マッチングに成功すると、ユーザが優先に基地局側のアプリケーションプロキシにアクセスすることを許可する。ユーザが基地局上のサービスにアクセスするのではない又はマッチングに失敗すると、直接にＩｎｔｅｒｎｅｔにアクセスさせる。
【００９６】
ステップＳ４４：地域管理部は携帯電話アプリケーションを介してアクセスすることができ、認証を経て地域カメラにアクセスし、監視ビデオアプリケーションによって異なる界面とアングルを提供し、ユーザは異なる箇所のカメラをスケジューリングして監視画面を観察することができる。
【００９７】
ステップＳ４５：地域は、直接に普通の端末で地域の安全をリアルタイムに注目することができ、ずっとコンピュータ室にある必要がなく、同時に、大量のデータが直接に基地局によって返送され、コアネットワークを通過せず、伝送帯域幅を占めなく、アクセスの遅延が低い。
【００９８】
ステップＳ４６：通信事業者は、ユーザがアクセスしたローカルリソースを単独に課金することができ、基地局に駐留したサービスコンテンツプロバイダの課金を行うこともできる。
【００９９】
実施形態４
ユーザがローカルエリアネットワークにアクセスする。
【０１００】
ステップＳ５１：企業団地又はキャンパスなどの団地で、一部の情報サイトのアプリケーションの一部の機能を基地局側に駐留させ、基地局側からキャッシングを開始する。
【０１０１】
ステップＳ５２：基地局が、常駐アプリケーションに基づいて、１枚のアプリケーションリストを生成し、該団地内部ネットワークのドメイン名とサービスＩＰを含む。
【０１０２】
ステップＳ５３：ユーザが、団地内でこれらの情報サイトにアクセスする場合、基地局が、ユーザがアクセスする目標ドメイン名又はＩＰアドレスのマッチングを行い、マッチングに成功すると、ユーザが優先に基地局側のアプリケーションプロキシにアクセスすることを許可する。ユーザが基地局上のサービスにアクセスするのではない又はマッチングに失敗すると、直接にＩｎｔｅｒｎｅｔにアクセスさせる。
【０１０３】
ステップＳ５４：アプリケーションプロキシが、ユーザが団地内部ネットワークサービスにアクセスするべきであると識別すると、ユーザに一時的な内部ネットワークＩＰを割り当て、内部アクセスのデータを直接に団地ネットワークにオフロードする。
【０１０４】
ステップＳ５５：団地内部ネットワークからユーザに到達したデータは、直接に基地局がユーザに転送し、全てのデータがローカル処理され、コアネットワークを経過しない。
【０１０５】
ステップＳ５６：通信事業者は、ユーザがアクセスしたローカルリソースを単独に課金することができ、基地局に駐留したサービスコンテンツプロバイダの課金を行うこともできる。
【０１０６】
上記実施例によると、一部のアプリケーションをユーザの近端（例えば、基地局側）に置いて、基地局の負荷を大幅に緩和することができ、またアプリケーションシーンと標準インタフェースを提供して、基地局のローカルサービスを最適化し、ユーザがさらに良好な体験を得ることができる。
【０１０７】
以上の実施形態の説明によって、当業者は上記実施例に係る方法をソフトウェアに必要な汎用ハードウェアプラットフォームを追加した方式で実現できることが分かり、ハードウェアによって実現することも可能であるが、前の方式がもっと好ましい実施形態である。これにより、本発明の技術方案の本質又は既存技術に貢献のある部分をソフトウェア製品の形態で実現することができ、そのコンピュータソフトウェア製品は、端末機器（携帯電話、コンピュータ、サーバ又は、ネットワーク機器等であることができる）に本発明の各実施例に記載の方法を実現させるコマンドを含み、記憶媒体（例えば、ＲＯＭ/ＲＡＭ、ディスク、ＣＤ）に記憶されることができる。
【０１０８】
実施例２
本発明の実施例においてアクセス要求の応答装置をさらに提供する。該装置は上記実施例及び好適な実施形態を実現するためのものであって、既に説明した部分の説明は省略する。以下で使用される用語「モジュール」は所定の機能を実現できるソフトウェア及び/又はハードウェアの組み合わせである。以下の実施例で説明する装置をソフトウェアで実現することが好ましいが、ハードウェア又はソフトウェアとハードウェアの組み合わせで実現することも可能である。
【０１０９】
図７は本発明の実施例に係るアクセス要求の応答装置を示す図である。図７に示すように、該装置は要求取得ユニット７１と、判断ユニット７２と、応答ユニット７３と、を含む。
【０１１０】
要求取得ユニット７１は、目標アプリケーションサーバへのアクセスを要求するためのアクセス要求を取得するように構成され、ここで、アクセス要求に目標アプリケーションサーバの識別情報が含まれている。
【０１１１】
判断ユニット７２は、目標アプリケーションサーバの識別情報に基づいて、ローカルに目標アプリケーションサーバのアプリケーションプロキシが設定されたか否かを判断するように構成される。
【０１１２】
応答ユニット７３は、ローカルに目標アプリケーションサーバのアプリケーションプロキシが設定されたと判断された場合、目標アプリケーションサーバのアプリケーションプロキシによってアクセス要求に応答するように構成される。
【０１１３】
上記実施例によれば、要求取得ユニットが目標アプリケーションサーバへのアクセスを要求するためのアクセス要求を取得し、ここでアクセス要求に目標アプリケーションサーバの識別情報が含まれており、判断ユニットが目標アプリケーションサーバの識別情報に基づいて、ローカルに目標アプリケーションサーバのアプリケーションプロキシが設定されたか否かを判断し、応答ユニットがローカルに目標アプリケーションサーバのアプリケーションプロキシが設定されたと判断された場合、目標アプリケーションサーバのアプリケーションプロキシによってアクセス要求に応答し、つまり、基地局が要求を受信すると、対応するアプリケーションプロキシがあるアクセス要求の処理をアプリケーションプロキシに任せることができ、既存技術において基地局のベアリング能力が弱い問題を解決し、基地局のベアリング能力を向上させる技術効果を実現できる。
【０１１４】
上記装置を基地局、無線アクセス点などに応用することができるが、これに限定されることはない。以下、基地局を例に本願の実施例を詳しく説明する。
【０１１５】
上述した目標アプリケーションサーバの識別情報は目標アプリケーションサーバのドメイン名、ＩＰアドレス、ポート番号及びプロトコル種類の中の少なくとも一つを含み、複数のアプリケーションサーバの識別情報は複数のアプリケーションサーバのドメイン名、ＩＰアドレス、ポート番号及びプロトコル種類の中の少なくとも一つを含む。
【０１１６】
判断ユニットは、アプリケーションサーバのデータ転送及びローカルのキャッシュデータを用いた前記アクセス要求への応答を行うためのアプリケーションプロキシがローカルに設定された複数のアプリケーションサーバの識別情報を保存するためのアプリケーション情報リストを取得するように構成された情報取得モジュールと、アプリケーション情報リストに目標アプリケーションサーバの識別情報に一致する識別情報があるか否かを判断し、アプリケーション情報リストに目標アプリケーションサーバの識別情報に一致する識別情報がある場合、ローカルに目標アプリケーションサーバのアプリケーションプロキシがあると判断するように構成される第１の判断モジュールと、を含むことができる。
【０１１７】
応答ユニットは、目標アプリケーションサーバに基づいて、アクセス要求を発したユーザの認証を行う必要があるか否かを判断するように構成された第２の判断モジュールと、ユーザの認証を行う必要がないと、所定の方式でアクセス要求に応答するように目標アプリケーションサーバのアプリケーションプロキシを制御するように構成された第１の応答モジュールと、ユーザの認証を行う必要があると、ユーザのアクセス権限を取得し、アクセス権限に対応する方式でアクセス要求に応答するように目標アプリケーションサーバのアプリケーションプロキシを制御するように構成された第２の応答モジュールと、を含むことができる。
【０１１８】
上述した第２の判断モジュールはさらに、ユーザの認証結果をアプリケーションリストに保存するように構成され、ここで、ユーザの認証結果は、予め設定された値の時間だけ保存されている。
【０１１９】
第１の応答モジュールは、ユーザに固定値の伝送リソースと、計算リソースと、記憶リソースとを割り当てるように構成された第１の割当サブモジュールと、割り当てられた伝送リソースと、計算リソースと、記憶リソースとを用いてアクセス要求に応答するように、目標アプリケーションサーバのアプリケーションプロキシを制御するように構成された第１の応答サブモジュールと、を含むことができる。
【０１２０】
第２の応答モジュールは、アプリケーション情報テーブル又は目標アプリケーションサーバからユーザのアクセス権限を取得するように構成された取得サブモジュールを含み、ユーザのアクセス権限は、目標アプリケーションサーバに対するアクセス権限及び/又はローカルネットワークに対するアクセス権限を含むことができる。
【０１２１】
第２の応答モジュールは、ユーザのアクセス権限に応じて、ユーザに伝送リソースと、計算リソースと、記憶リソースとを割り当てるように構成され、割り当てられた伝送リソースと、計算リソースと、記憶リソースとを用いてアクセス要求に応答するように目標アプリケーションサーバのアプリケーションプロキシを制御するように構成された第２の割当サブモジュールをさらに含むことができる。
【０１２２】
好適な実施例において、上記装置は、目標アプリケーションサーバのアプリケーションプロキシによってアクセス要求に応答した後、アクセス要求を発したユーザのアクセス情報を収集するように構成された収集ユニットと、ユーザのアクセス情報を分析することでユーザのアクセス習慣を決定するように構成された分析ユニットと、ユーザのアクセス習慣に合う情報をキャッシングするように構成されたキャッシングユニットと、をさらに含むことができる。
【０１２３】
上記実施例によると、アプリケーションの認証を行う必要があると、基地局に常駐アプリケーションプロキシがアプリケーションサーバ側又はアプリケーション情報リストからユーザのサービスレベルを取得し、サービスレベルに応じて、ユーザにリソースを割り当て、該リソースは無線エアーインタフェースの帯域幅又はタイムスロットリソース、基地局計算リソース、基地局記憶リソース、伝送リソースなどを含み、これにより、サービスレベルの高いユーザのサービスを優先に保証することができる。
【０１２４】
なお、上記各モジュールはソフトウェア又はハードウェアで実現することができ、ハードウェアで実現する場合、上記モジュールを全て同一のプロセッサに配置する、又は上記各モジュールを任意に組み合わせした形態で異なるプロセッサに配置する方式で実現することができるが、これに限定されることはない。
【０１２５】
実施例３
本発明の実施例においてさらに基地局を提供し、該基地局は上述したいずれかのアクセス要求の応答装置を含む。
【０１２６】
図４に該基地局を示し、該基地局の各構成部分と機能は実施例１で詳しく説明したので、ここでは詳細な説明を省略する。
【０１２７】
実施例４
本発明の実施例においてアクセス要求の応答システムをさらに提供し、図８に示すように、該システムは端末８１と、基地局８２と、コアネットワーク８３と、目標アプリケーションサーバ８４と、を含み、基地局はコアネットワークを介して目標アプリケーションサーバに接続される。ここで、端末が基地局へ目標アプリケーションサーバへのアクセスを要求するアクセス要求を発した場合、基地局は、ローカルに目標アプリケーションサーバのアプリケーションプロキシを設定した場合、目標アプリケーションサーバのアプリケーションプロキシによってアクセス要求に応答する。
【０１２８】
上述した端末は無線８５を介して基地局にアクセスして、基地局によってネットワークへのアクセスを行う。
【０１２９】
基地局が、目標アプリケーションサーバの識別情報に基づいて、ローカルに目標アプリケーションサーバのアプリケーションプロキシが設定されたか否かを判断することができる。
【０１３０】
基地局が、目標アプリケーションサーバのアプリケーションプロキシによってアクセス要求に応答した後、アクセス要求を発したユーザのアクセス情報を収集し、ユーザのアクセス情報を分析することでユーザのアクセス習慣を決定し、ユーザのアクセス習慣に合う情報をキャッシングすることができる。
【０１３１】
基地局が、コアネットワークを介してユーザのアクセス習慣に合う情報をキャッシングすることができる。
【０１３２】
該システムにおける端末と、基地局と、目標アプリケーションサーバの運転方式は上述した実施例で詳しく説明したので、ここでは詳細な説明を省略する。
【０１３３】
アプリケーションプロキシは、アプリケーションサーバのデータを転送したりローカルのキャッシュデータを用いてアクセス要求に応答したりすることができる。
【０１３４】
応答システムによると、基地局が、端末の、目標アプリケーションサーバへのアクセスを要求するアクセス要求を取得し、アクセス要求に目標アプリケーションサーバの識別情報が含まれ、また、目標アプリケーションサーバの識別情報に基づいて、ローカルに目標アプリケーションサーバのアプリケーションプロキシが設定されたか否かを判断し、ローカルに目標アプリケーションサーバのアプリケーションプロキシが設定されたと判断された場合、目標アプリケーションサーバのアプリケーションプロキシによってアクセス要求に応答し、つまり、基地局が要求を受信すると、対応するアプリケーションプロキシがあるアクセス要求の処理をアプリケーションプロキシに任せることができ、既存技術において基地局のベアリング能力が弱い問題を解決し、基地局のベアリング能力を向上させる技術効果を実現できる。
【０１３５】
実施例５
本発明の実施例においてさらに記憶媒体を提供する。本実施例において、上記記憶媒体は、
Ｓ１：目標アプリケーションサーバの識別情報が含まれ、目標アプリケーションサーバへのアクセスを要求するためのアクセス要求を取得するステップと、
Ｓ２：目標アプリケーションサーバの識別情報に基づいて、ローカルに目標アプリケーションサーバのアプリケーションプロキシが設定されたか否かを判断するステップと、
Ｓ３：ローカルに目標アプリケーションサーバのアプリケーションプロキシが設定されたと判断された場合、目標アプリケーションサーバのアプリケーションプロキシによってアクセス要求に応答するステップを実行するためのプログラムコードを記憶するように構成されることができる。
【０１３６】
記憶媒体はさらに、
Ｓ４：アプリケーションプロキシがローカルに設定された複数のアプリケーションサーバの識別情報を保存するためのアプリケーション情報リストを取得するステップと、
Ｓ５：アプリケーション情報リストに目標アプリケーションサーバの識別情報に一致する識別情報があるか否かを判断するステップを実行するためのプログラムコードを記憶するように構成されることができる。
【０１３７】
本実施例において、上記記憶媒体は、ＵＳＢフラッシュメモリ、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、モバイルハードディスク、フロッピーディスク又は光ディスク等のプログラムコードを記憶できる様々な媒体を含むが、これらに限定されることはない。
【０１３８】
本実施例において、プロセッサは、記憶媒体に記憶されたプログラムコードに従って、目標アプリケーションサーバの識別情報が含まれ、目標アプリケーションサーバへのアクセスを要求するためのアクセス要求を取得することと、目標アプリケーションサーバの識別情報に基づいて、ローカルに目標アプリケーションサーバのアプリケーションプロキシが設定されたか否かを判断することと、ローカルに目標アプリケーションサーバのアプリケーションプロキシが設定されたと判断された場合、目標アプリケーションサーバのアプリケーションプロキシによってアクセス要求に応答することと、を実行することができる。
【０１３９】
本実施例において、プロセッサは記憶媒体に記憶されたプログラムコードに従って、ローカルにアプリケーションプロキシが設定された複数のアプリケーションサーバの識別情報を保存するためのアプリケーション情報リストを取得することと、アプリケーション情報リストに目標アプリケーションサーバの識別情報に一致する識別情報があるか否かを判断することと、を実行することができる。
【０１４０】
本実施例における具体的な例については、上記実施例及び可能な実施形態で説明した例を参照することができ、本実施例においては詳細な説明を省略する。
【０１４１】
なお、上述した本発明の各モジュール又は各ステップを汎用の計算装置で実現することができ、それらを単一の計算装置に集中させることができ、又は複数の計算装置からなるネットワークに分布させることもでき、それらを計算装置が実行可能なプログラムコードによって実現することもできるので、それらを記憶装置に記憶して計算装置に実行させることができ、場合によっては、ここで説明した順序と異なる順で示した又は説明したステップを実行することもでき、又はそれぞれ各集積回路モジュールに制作することもでき、又はその中の複数のモジュール又はステップを単一の集積回路モジュールで実現することもできることを当業者は理解できる。これにより、本発明はいかなる特定のハードウェアとソフトウェアの結合にも限定されない。
【０１４２】
以上は、本発明の好適な実施例に過ぎず、本発明を限定するものではなく、当業者であれば本発明に様々な修正や変形が可能である。本発明の精神や原則内での全ての修正、置換、改良などは本発明の保護範囲内に含まれる。
【産業上の利用可能性】
【０１４３】
本発明の実施例のアクセス要求の応答過程において、目標アプリケーションサーバの識別情報が含まれ目標アプリケーションサーバへのアクセスを要求するためのアクセス要求を取得し、目標アプリケーションサーバの識別情報に基づいて、ローカルに目標アプリケーションサーバのアプリケーションプロキシが設定されたか否かを判断し、ローカルに目標アプリケーションサーバのアプリケーションプロキシが設定されたと判断された場合、目標アプリケーションサーバのアプリケーションプロキシによってアクセス要求に応答し、つまり、基地局が要求を受信すると、対応するアプリケーションプロキシがあるアクセス要求の処理をアプリケーションプロキシに任せることができ、既存技術において基地局のベアリング能力が弱い問題を解決し、基地局のベアリング能力を向上させる技術効果を実現できる。
【図１】
2019520762.tif 000003
【図２】
2019520762.tif 000004
【図３】
2019520762.tif 000005
【図４】
2019520762.tif 000006
【図５】
2019520762.tif 000007
【図６】
2019520762.tif 000008
【図７】
2019520762.tif 000009
【図８】
2019520762.tif 000010
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
目標アプリケーションサーバの識別情報が含まれ、前記目標アプリケーションサーバへのアクセスを要求するためのアクセス要求を取得することと、
前記目標アプリケーションサーバの識別情報に基づいて、ローカルに前記目標アプリケーションサーバのアプリケーションプロキシが設定されたか否かを判断することと、
ローカルに前記目標アプリケーションサーバのアプリケーションプロキシが設定されたと判断された場合、前記目標アプリケーションサーバのアプリケーションプロキシによって前記アクセス要求に応答することと、を含むアクセス要求の応答方法。
【請求項２】
前記目標アプリケーションサーバの識別情報に基づいて、ローカルに前記目標アプリケーションサーバのアプリケーションプロキシが設定されたか否かを判断することは、
アプリケーションサーバのデータ転送及びローカルのキャッシュデータを用いた前記アクセス要求への応答を行うためのアプリケーションプロキシがローカルに設定された複数のアプリケーションサーバの識別情報を保存するためのアプリケーション情報リストを取得することと、
前記アプリケーション情報リストに前記目標アプリケーションサーバの識別情報に一致する識別情報があるか否かを判断し、前記アプリケーション情報リストに前記目標アプリケーションサーバの識別情報に一致する識別情報がある場合、ローカルに前記目標アプリケーションサーバのアプリケーションプロキシがあると判断することと、を含む請求項１に記載の方法。
【請求項３】
前記目標アプリケーションサーバの識別情報は、前記目標アプリケーションサーバのドメイン名、ＩＰアドレス、ポート番号及びプロトコル種類の中の少なくとも一つを含み、前記複数のアプリケーションサーバの識別情報は、前記複数のアプリケーションサーバのドメイン名、ＩＰアドレス、ポート番号及びプロトコル種類の中の少なくとも一つを含む請求項１又は２に記載の方法。
【請求項４】
前記目標アプリケーションサーバのアプリケーションプロキシによって前記アクセス要求に応答することは、
前記目標アプリケーションサーバに基づいて、前記アクセス要求を発したユーザの認証を行う必要があるか否かを判断することと、
前記ユーザの認証を行う必要がないと、所定の方式で前記アクセス要求に応答するように前記目標アプリケーションサーバのアプリケーションプロキシを制御することと、
前記ユーザの認証を行う必要があると、前記ユーザのアクセス権限を取得し、前記アクセス権限に対応する方式で前記アクセス要求に応答するように前記目標アプリケーションサーバのアプリケーションプロキシを制御することと、を含む請求項１に記載の方法。
【請求項５】
所定の方式で前記アクセス要求に応答するように前記目標アプリケーションサーバのアプリケーションプロキシを制御することは、
前記ユーザに固定値の伝送リソースと、計算リソースと、記憶リソースとを割り当てることと、
割り当てられた伝送リソースと、計算リソースと、記憶リソースとを用いて前記アクセス要求に応答するように、前記目標アプリケーションサーバのアプリケーションプロキシを制御することと、を含む請求項４に記載の方法。
【請求項６】
前記ユーザのアクセス権限を取得することは、
アプリケーション情報テーブル又は前記目標アプリケーションサーバから前記ユーザのアクセス権限を取得することを含み、
前記ユーザのアクセス権限は前記目標アプリケーションサーバに対するアクセス権限及び/又はローカルネットワークに対するアクセス権限を含む請求項４に記載の方法。
【請求項７】
前記アクセス権限に対応する方式で前記アクセス要求に応答するように前記目標アプリケーションサーバのアプリケーションプロキシを制御することは、
前記ユーザのアクセス権限に応じて、前記ユーザに伝送リソースと、計算リソースと、記憶リソースとを割り当てることと、
割り当てられた伝送リソースと、計算リソースと、記憶リソースとを用いて前記アクセス要求に応答するように、前記目標アプリケーションサーバのアプリケーションプロキシを制御することと、を含む請求項６に記載の方法。
【請求項８】
前記目標アプリケーションサーバに基づいて、前記アクセス要求を発したユーザの認証を行う必要があるか否かを判断した後、
認証を行う必要がある場合、前記ユーザの認証結果をアプリケーションリストに保存することをさらに含み、
前記ユーザの認証結果は、予め設定された値の時間だけ保存されている請求項４に記載の方法。
【請求項９】
前記目標アプリケーションサーバのアプリケーションプロキシによって前記アクセス要求に応答した後、
前記アクセス要求を発したユーザのアクセス情報を収集することと、
前記ユーザのアクセス情報を分析することで前記ユーザのアクセス習慣を決定することと、
前記ユーザのアクセス習慣に合う情報をキャッシングすることと、をさらに含む請求項１に記載の方法。
【請求項１０】
目標アプリケーションサーバの識別情報が含まれ、前記目標アプリケーションサーバへのアクセスを要求するためのアクセス要求を取得するように構成された要求取得ユニットと、
前記目標アプリケーションサーバの識別情報に基づいて、ローカルに前記目標アプリケーションサーバのアプリケーションプロキシが設定されたか否かを判断するように構成された判断ユニットと、
ローカルに前記目標アプリケーションサーバのアプリケーションプロキシが設定されたと判断された場合、前記目標アプリケーションサーバのアプリケーションプロキシによって前記アクセス要求に応答するように構成された応答ユニットと、を含むアクセス要求の応答装置。
【請求項１１】
前記判断ユニットは、
アプリケーションサーバのデータ転送及びローカルのキャッシュデータを用いた前記アクセス要求への応答を行うためのアプリケーションプロキシがローカルに設定された複数のアプリケーションサーバの識別情報を保存するためのアプリケーション情報リストを取得するように構成された情報取得モジュールと、
前記アプリケーション情報リストに前記目標アプリケーションサーバの識別情報に一致する識別情報があるか否かを判断し、前記アプリケーション情報リストに前記目標アプリケーションサーバの識別情報に一致する識別情報がある場合、ローカルに前記目標アプリケーションサーバのアプリケーションプロキシがあると判断するように構成された第１の判断モジュールと、を含む請求項１０に記載の装置。
【請求項１２】
前記応答ユニットは、
前記目標アプリケーションサーバに基づいて、前記アクセス要求を発したユーザの認証を行う必要があるか否かを判断するように構成された第２の判断モジュールと、
前記ユーザの認証を行う必要がないと、所定の方式で前記アクセス要求に応答するように前記目標アプリケーションサーバのアプリケーションプロキシを制御するように構成された第１の応答モジュールと、
前記ユーザの認証を行う必要があると、前記ユーザのアクセス権限を取得し、前記アクセス権限に対応する方式で前記アクセス要求に応答するように前記目標アプリケーションサーバのアプリケーションプロキシを制御するように構成された第２の応答モジュールと、を含む請求項１０に記載の装置。
【請求項１３】
前記第１の応答モジュールは、
前記ユーザに固定値の伝送リソースと、計算リソースと、記憶リソースとを割り当てるように構成された第１の割当サブモジュールと、
割り当てられた伝送リソースと、計算リソースと、記憶リソースとを用いて前記アクセス要求に応答するように、前記目標アプリケーションサーバのアプリケーションプロキシを制御するように構成された第１の応答サブモジュールと、を含むか、或いは、
前記第２の応答モジュールは、
アプリケーション情報テーブル又は前記目標アプリケーションサーバから、前記目標アプリケーションサーバに対するアクセス権限及び/又はローカルネットワークに対するアクセス権限を含む前記ユーザのアクセス権限を取得するように構成された取得サブモジュールと、
前記ユーザのアクセス権限に応じて、前記ユーザに伝送リソースと、計算リソースと、記憶リソースとを割り当てるように構成された第２の割当サブモジュールと、
割り当てられた伝送リソースと、計算リソースと、記憶リソースとを用いて前記アクセス要求に応答するように、前記目標アプリケーションサーバのアプリケーションプロキシを制御するように構成された第２の応答サブモジュールをさらに含む請求項１２に記載の装置。
【請求項１４】
前記目標アプリケーションサーバのアプリケーションプロキシによって前記アクセス要求に応答した後、前記アクセス要求を発したユーザのアクセス情報を収集するように構成された収集ユニットと、
前記ユーザのアクセス情報を分析することで前記ユーザのアクセス習慣を決定するように構成された分析ユニットと、
前記ユーザのアクセス習慣に合う情報をキャッシングするように構成されたキャッシングユニットと、をさらに含む請求項１０に記載の装置。
【請求項１５】
請求項１０乃至１４の中のいずれか一項に記載のアクセス要求の応答装置を含む基地局。
【国際調査報告】
2019520762.tif 000011
2019520762.tif 000012
2019520762.tif 000013
2019520762.tif 000014